(57)【要約】【課題】  氷細片を高地での大気圧下で包装し、密封状態で低地へ流通可能とした氷用包装容器を実現する。【解決手段】  カップ状の容器本体１とこの容器本体に密封されるプラチックフイルム製の蓋体１０からなり、氷細片３を高地での大気圧下で収容して密封するための包装容器において、蓋体１０に微細な通気孔１１を設ける。【選択図】  図１
2016216091.tif 000002
【特許請求の範囲】
【請求項１】
カップ状の容器本体とこの容器本体に密封されるプラチックフイルム製の蓋体からなり、氷細片を高地での大気圧下で収容して密封するための包装容器において、蓋体に微細な通気孔を設けたことを特徴とする氷用包装容器。
【請求項２】
ミシン目状の通気孔により微細な通気孔を構成した請求項１記載の氷用包装容器。
【請求項３】
帯状の傷跡群により微細な通気孔を構成した請求項１記載の氷用包装容器。
【請求項４】
単一孔により微細な通気孔を構成した請求項１記載の氷用包装容器。
【請求項５】
微細な通気孔は容器本体の縁から容器本体の幅の１／４以内に配される請求項１から４の何れかに記載の氷用包装容器。
【発明の詳細な説明】
【技術分野】
【０００１】
本願発明は、氷細片を密封状態で収容するための氷用包装容器に関する。
【背景技術】
【０００２】
製氷工場により製氷されたかちわり状氷やキューブ状氷などの氷細片を、コンビニエンスストアやスーパーマーケットで販売するために包装状態で流通することが広く行われている。
【０００３】
前記の氷細片は従前はプラスチックフィルム製の包装袋に収容して流通に供されていたが、近年ではカップ状の容器に収容して流通に供されることも行われている（特許文献１）。
【０００４】
後者の容器は剛性を有するカップ状のプラスチック製の容器本体に剛性を有するプラスチック製の蓋体を被蓋したものが特許文献においては公知であるが（特許文献１）、剛性を有するカップ状のプラスチック製の容器本体にプラチックフイルム製の蓋体をヒートシールなどにより接着するという容器に関する周知技術（例えば特許文献２）を利用した容器も広く使用されている（例えば非特許文献１）。
【特許文献１】特開２００３−２６１１２５号公報
【特許文献２】特開２００２−３７０７６４号公報
【非特許文献１】ニチレイ・アイスホームページ商品紹介（http://www.nichirei-ice.com/products/index.html ）
【発明の開示】
【発明が解決しようとする課題】
【０００５】
前記の従来技術のうち、剛性を有するカップ状のプラスチック製の容器本体に氷細片を収容し、プラチックフイルム製の蓋体をヒートシールなどにより接着するという手法は製氷工場により製氷された氷細片をそのまま工場内で密封状態で包装するのに最適であり、流通過程における異物の混入を防止できる他、蓋体が成型によらないので包装コストも軽減することができる。
【０００６】
ところで、近年の自然水ブームで製氷に際し水道水でなく、湧水などの自然水を使用した氷の人気が高い。この場合、輸送コストや輸送中の水の劣化などを考慮した場合、採水場所に極力近い場所で製氷し、その場で容器詰めすることが望ましい。
【０００７】
前記の場合、湧水などの自然水は多くの場合、標高が１千メートル前後の高地に存し、前記の製氷および容器詰めは高地での大気圧下で行うことになる。
【０００８】
この場合、氷細片は標高が高いことから大気圧が低い環境下で容器に収容され密封されるが、流通されるのは高地に比べて大気圧が高い標高が数十メートル以下の低地である。
【０００９】
前記において、プラスチックフィルム製の包装袋の場合は可撓性を有するので問題がないが、剛性を有する容器本体に剛性を有しないプラチックフイルム製の蓋体を密封した容器の場合は大気圧により蓋体が内方に押圧されて凹み、凹みによる引っ張りにより容器本体に変形を来したり、蓋体が剥離してしまう事態が予想される。
【課題を解決するための手段】
【００１０】
本願発明は前記の問題を解消した氷用包装容器を提供することを目的として創作されたものである。
【００１１】
すなわち、本願発明の氷用包装容器はカップ状の容器本体とこの容器本体に密封されるプラチックフイルム製の蓋体からなり、氷細片を高地での大気圧下で収容して密封するための包装容器において、蓋体に微細な通気孔を設けたことを特徴とする。
【００１２】
また、請求項５に記載の発明は前記の氷用包装容器において、微細な通気孔は容器本体の縁から容器本体の幅の１／４以内に配されることを特徴とする。
【発明の効果】
【００１３】
以上の構成よりなる本願発明の氷用包装容器は蓋体に微細な通気孔を設けることにより、蓋体により容器が密封されても容器内外の大気が連通するので、標高の変化により外気圧が高まっても容器内の気圧はそれと均等になるので、蓋体が内方に押圧されて凹み、凹みによる引っ張りにより容器本体に変形を来したり、蓋体が剥離してしまうことがない。
【００１４】
また、通気孔は微細なので、仮に氷が溶けて水が出ても、通気孔周辺の水の表面張力により水が容器の外に流れ出ることが防止される。
【００１５】
前記の場合、請求項５に記載の発明は微細な通気孔は容器本体の縁から容器本体の幅の１／４以内に配されるので、水の重みにより蓋体に圧力がかかっても中央箇所に比べて蓋体の撓みが少なく、撓みにより前記の表面張力作用が損なわれることが防止される。
【図面の簡単な説明】
【００１６】
【図１】本願発明の氷用包装容器の第１実施例の分解斜視図。
【図２】同上平面図。
【図３】本願発明の氷用包装容器の第２実施例の平面図。
【図４】本願発明の氷用包装容器の第３実施例の平面図。
【図５】本願発明の氷用包装容器の第４実施例の平面図。
【図６】本願発明の氷用包装容器の第５実施例の平面図。
【図７】本願発明の氷用包装容器の第６実施例の平面図。
【図８】本願発明の氷用包装容器の第７実施例の平面図。
【発明を実施するための最良の形態】
【００１７】
以下、本願発明の具体的実施例を添付図面に基づいて説明する。図１は本願発明の氷用包装容器の分解斜視図である。図中符号１は内部に氷細片３が収容される容器本体である。容器本体としてここでは平面円形のカップ状のものを図示しているが、形状はこれに限られず例えば平面四角形のものなども想定できることは勿論である。前記容器本体はプラスチックを成型加工して得られる剛性を有するものであり、素材としては例えば、ポリスチレン、ポリプロピレン、ポリエチレンなどが想定されるが、これらに限られないことは勿論である。
【００１８】
前記容器本体１の開口部周側にはフランジ状の張り出し部２が延設され、この張り出し部の上面が後記する蓋体１０との接触部となる。
【００１９】
蓋体１０は容器本体１への氷細片３の収容後、その張り出し部２にヒートシールによって接着される。この蓋体１０はプラチックフイルムにより構成されるものであり、ＯＰＰ（２軸延伸延伸ポリプロピレンフィルム）、ＰＥＴ（ポリエチレンテレフタレートフィルム）、ＯＮＹ（延伸ナイロンフィルム）、ＣＰＰ（無延伸ポリプロピレンフィルム）、ＰＥ（ポリエチレンフィルム）、ＥＰ（イージーピールフィルム）などを単体もしくはドライラミネート、押し出しラミネートを行い複層としたものが想定できる。
【００２０】
図中符号１１は前記の蓋体１０に穿孔される微細な通気孔であり、この実施例では細孔をミシン目状に配したものを採用し、蓋体の左右に各２条づつ配しているが、条数はこれに限られないことは勿論である。微細な通気孔１１は水の重みにより蓋体に圧力がかかっても中央箇所に比べて蓋体の撓みが少ない容器本体１の縁から容器本体の幅の１／４以内に配することにより（図２参照）、水が容器の外に流れ出ることを阻止する表面張力作用が撓みにより損なわれることが防止される。
【００２１】
前記の微細な通気孔を穿孔する手段としては、刃物、針、レーザーマーカーなどが想定されるが、これらに限られないことは勿論である。
【００２２】
図３は微細な通気孔に関する第２実施例を示すものであり、ここではミシン目状に配した細孔２１を蓋体の側方に２条配している。
【００２３】
図４は微細な通気孔に関する第３実施例を示すものであり、ここでは帯状の傷跡群により通気孔３１を構成し、これを蓋体の左右にして容器本体の幅の１／４以内に配している。
【００２４】
前記の傷痕に関し、ここでは長さが０．１〜１．０ｍｍで切り込み幅は長さの１／１０〜１／１００としている。
【００２５】
図５は微細な通気孔に関する第４実施例を示すものであり、ここでは帯状の傷跡群により通気孔４１を構成し、これを蓋体の側方にして容器本体の幅の１／４以内に配している。
【００２６】
図６は微細な通気孔に関する第５実施例を示すものであり、ここでは単一孔により通気孔５１を構成し、これを蓋体の左右にして容器本体の幅の１／４以内に配している。
【００２７】
図７は微細な通気孔に関する第６実施例を示すものであり、ここでは単一孔により通気孔６１を構成し、これを蓋体の側方にして容器本体の幅の１／４以内に配している。
【００２８】
図８は微細な通気孔に関する第７実施例を示すものであり、ここでは単一孔により通気孔７１を構成し、これを蓋体の中央付近に配している。
【符号の説明】
【００２９】
１        容器本体
１０      蓋体
１１      微細な通気孔
２１      微細な通気孔
３１      微細な通気孔
４１      微細な通気孔
５１      微細な通気孔
６１      微細な通気孔
７１      微細な通気孔
【図１】
2016216091.tif 000003
【図２】
2016216091.tif 000004
【図３】
2016216091.tif 000005
【図４】
2016216091.tif 000006
【図５】
2016216091.tif 000007
【図６】
2016216091.tif 000008
【図７】
2016216091.tif 000009
【図８】
2016216091.tif 000010